【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
パッキン装着孔を有する被装着体と、
電線が通される電線通し穴、前記電線通し穴を塞ぐ閉じ部、外周面から一体に突設して前記パッキン装着孔の内周面に密接する複数の環状の外向き凸条、及び前記電線通し穴の内周面から一体に突設して前記電線の外周面に密接する複数の環状の内向き凸条を有してなり、前記パッキン装着孔に嵌合されるゴム状弾性体製の防水パッキンと、
を具備したことを特徴とする電線差込み部の防水装置。
【請求項２】
前記外向き凸条と前記内向き凸条とを前記防水パッキンの軸方向で同じ位置に設けたことを特徴とする請求項１に記載の電線差込み部の防水装置。
【請求項３】
前記内向き凸条の根元部の幅を前記外向き凸条の根元部の幅より小さくしたことを特徴とする請求項１又は２に記載の電線差込み部の防水装置。
【請求項４】
前記パッキン装着孔への前記防水パッキンの嵌入方向先端側端部の外周面に、前記外向き凸条のうちの一つを配設したことを特徴とする請求項１〜３の内のいずれか１項に記載の電線差込み部の防水装置。
【請求項５】
前記閉じ部の中央部を凹ませて薄肉としたことを特徴とする前記請求項１〜４の内のいずれか１項に記載の電線差込み部の防水装置。
【請求項６】
ランプのランプピンが着脱可能に接続されるランプピン接触片及び電線接続部を有する一対の端子金具と、
これら端子金具を内蔵するとともに、前記電線接続部と対向するパッキン装着孔を有したソケット本体と、
電線が通される電線通し穴、前記電線通し穴を塞ぐ閉じ部、外周面から一体に突設して前記パッキン装着孔の内周面に密接する複数の環状の外向き凸条、及び前記電線通し穴の内周面から一体に突設して前記電線の外周面に密接する複数の環状の内向き凸条を有してなり、前記パッキン装着孔に嵌合されるゴム状弾性体製の防水パッキンと、
を具備したことを特徴とする防水ソケット。
【請求項７】
器具本体と、
この器具本体に取付けられたソケット取付け台と、
この取付け台に取付けられた請求項６に記載の防水ソケットと、
この防水ソケットに支持される直管形のランプと、
を具備したことを特徴とする照明器具。
【手続補正２】
【補正対象書類名】明細書
【補正対象項目名】０００６
【補正方法】変更
【補正の内容】
【０００６】
【課題を解決するための手段】
前記課題を解決するために、請求項１に係る発明の電線差込み部の防水装置は、パッキン装着孔を有する被装着体と、電線が通される電線通し穴、前記電線通し穴を塞ぐ閉じ部、外周面から一体に突設して前記パッキン装着孔の内周面に密接する複数の環状の外向き凸条、及び前記電線通し穴の内周面から一体に突設して前記電線の外周面に密接する複数の環状の内向き凸条を有してなり、前記パッキン装着孔に嵌合されるゴム状弾性体製の防水パッキンと、を具備したことを特徴とする。
【手続補正３】
【補正対象書類名】明細書
【補正対象項目名】０００７
【補正方法】変更
【補正の内容】
【０００７】
この発明及び以下の各発明において、防水パッキンをなすゴム状弾性体にはゴム又はエラストマ等の材料を使用でき、又、外向き凸条及び内向き凸条の数は二以上であれば任意の数に設定できるとともに、各凸条の配設間隔は揃っていても、揃っていなくてもよい。又、防水パッキンの電線通し穴の数は一つ以上であればよいとともに、この電線通し穴は、予め貫通して設けられていても、又、閉じ部はそこを突き破って電線が通るものであって、又、電線には絶縁電線を用いるとよい。又、この発明の電線差込み部の防水装置は、防水ソケット以外にも防水を必要とする電気部品において電線が挿入される部分の全てに適用できる。
【手続補正４】
【補正対象書類名】明細書
【補正対象項目名】０００８
【補正方法】変更
【補正の内容】
【０００８】
請求項１の発明においては、防水パッキンの外周面の環状をなす複数の外向き凸条がパッキン装着孔の内周面に密接し、同様に、防水パッキンの電線通し穴の内周面の環状をなす複数の内向き凸条が電線通し穴に通された電線の外周面に密接しているから、防水パッキンとパッキン装着孔との間、及び防水パッキンと電線との間の防水性を夫々確保できる。そして、複数の外向き凸条及び複数の内向き凸条により、これらのパッキン装着孔の内周面への密接箇所及び電線外周面への密接箇所を夫々分断して、毛細管現象による水の浸入を妨げているため、防水パッキンが電線に引張られて、この引張り側と反対側に楔状の隙間ができたとしても、この隙間よりも奥側の外向き凸条及び内向き凸条によって水の浸入を防止できる。更に、電線通し穴は、電線が貫通すると突き破られる閉じ部で塞がれているので、電線通し穴に電線が通されない場合はその閉じ部によって浸水を防止できる。又、パッキン装着孔に防水パッキンを嵌め込む際には、このバッキンの外周面をパッキン装着孔の内周面に面接触させることなく、複数の外向き凸条を接触させて少ない抵抗で嵌め込み作業をすることができ、同様に、防水パッキンの電線通し穴に電線を通す際にも、電線外周面を電線通し穴の内周面に面接触させることなく、複数の内向き凸条を接触させて少ない抵抗で通線作業をすることができる。
【手続補正５】
【補正対象書類名】明細書
【補正対象項目名】００１５
【補正方法】変更
【補正の内容】
【００１５】
請求項５に係る発明の電線差込み部の防水装置は、前記閉じ部の中央部を凹ませて薄肉としたことを特徴とする。閉じ部は電線通し穴の端又は中間部に設けることができる。
【手続補正６】
【補正対象書類名】明細書
【補正対象項目名】００１７
【補正方法】変更
【補正の内容】
【００１７】
請求項６に係る発明の防水ソケットは、ランプのランプピンが着脱可能に接続されるランプピン接触片及び電線接続部を有する一対の端子金具と、これら端子金具を内蔵するとともに、前記電線接続部と対向するパッキン装着孔を有したソケット本体と、電線が通される電線通し穴、前記電線通し穴を塞ぐ閉じ部、外周面から一体に突設して前記パッキン装着孔の内周面に密接する複数の環状の外向き凸条、及び前記電線通し穴の内周面から一体に突設して前記電線の外周面に密接する複数の環状の内向き凸条を有してなり、前記パッキン装着孔に嵌合されるゴム状弾性体製の防水パッキンと、を具備したことを特徴とする。この防水ソケットは、挟み込み型でも突き合わせ型であってもよい。
【手続補正７】
【補正対象書類名】明細書
【補正対象項目名】００１８
【補正方法】変更
【補正の内容】
【００１８】
ソケット本体とそのパッキン装着孔に嵌合された防水パッキンは、ソケット本体に電線が通される部分において、防水パッキンの外周面及び電線通し穴の内周面に夫々設けた複数の環状外向き凸条及び内向き凸条により、防水パッキンとパッキン装着孔との間、及び防水パッキンと電線との間の防水をなすとともに、閉じ部により電線通し穴の防水をなす電線差込み部の防水装置を形成するから、防水性能が高く、電線を通し易い防水ソケットを提供できる。
【手続補正８】
【補正対象書類名】明細書
【補正対象項目名】００３２
【補正方法】変更
【補正の内容】
【００３２】
前記構成の第３防水パッキン１６は、図６、図７に示すように閉じ部５２がある端部を先頭にしてパッキン装着孔４７に嵌合することによりソケット本体１１に装着される。この組込み作業において、各外向き凸条５３が部分的にパッキン装着孔４７の内周面に接するので、第３防水パッキン１６の外周面全体がパッキン装着孔４７の内周面に接触して大きな摩擦抵抗を生じることはない。そのため、前記組込みに際しての摩擦抵抗が低減され、パッキン装着孔４７への第３防水パッキン１６の組込み作業を容易に実施できる。
【手続補正９】
【補正対象書類名】明細書
【補正対象項目名】００４４
【補正方法】変更
【補正の内容】
【００４４】
パッキン押え１９は、第１防水パッキン１３の最小内径より僅かに小さい内径を有したリングであって、第１防水パッキン１３の後部内面に形成した拡大内径部３９の内周面に嵌合して取付けられている。このパッキン押え１９の後端部には、第１防水パッキン１３の後端面に当接する外向きのフランジ４１が形成されているとともに、このフランジ４１から複数の係合凸部４２が後方に突出されている。係合凸部４２は前記係合凹部２８と同数等間隔に設けられていて、これらの凹凸係合によりパッキン押え１９は固定側部材としてのソケット本体１１に対して周方向に回らないように位置規制されるようになっている。
【手続補正１０】
【補正対象書類名】明細書
【補正対象項目名】００５４
【補正方法】変更
【補正の内容】
【００５４】
請求項１に係る発明によれば、被装着体のパッキン装着孔とこれに嵌合された防水パッキンとの間からの水の浸入を、防水パッキンの外周面に設けた複数の環状の外向き凸条により防止し、かつ、防水パッキンの電線通し穴とこれに通された電線との間からの水の浸入を、電線通し穴の内周面に設けた複数の環状の内向き凸条により防止し、更に、電線通し穴は、電線が貫通すると突き破られる閉じ部で塞がれていて、電線通し穴に電線が通されていない場合はその閉じ部によって浸水を防止したので、防水性能を向上できるとともに、複数の前記内向き凸条により電線通し穴への電線の通線抵抗を少なくして通線作業を容易にできる。
【手続補正１１】
【補正対象書類名】明細書
【補正対象項目名】００５９
【補正方法】変更
【補正の内容】
【００５９】
請求項６に係る発明によれば、ソケット本体に電線が通される部分に配置される防水パッキンの外周面及び電線通し穴の内周面に夫々複数の外向き凸条及び内向き凸条を設けて防水をなすとともに、電線通し穴の閉じ部による防水をなす電線差込み部の防水装置を備えるから、防水性能が高く、ソケット本体内に挿入される電線を通し易い防水ソケットを提供できる。